(57)【要約】【課題】本発明は、有機エレクトロルミネッセンス素子に影響を与えないように、水分による劣化を防止することを目的とする。【解決手段】有機エレクトロルミネッセンス装置は、間隔をあけて対向する第１及び第２の基板１０，１２と、第１の基板１０の、第２の基板１２と対向する第１の面１４に設けられた有機エレクトロルミネッセンス素子１６と、第２の基板１２の、第１の基板１０と対向する第２の面２０に設けられた乾燥剤２２と、第１及び第２の面１４，２０に接着して乾燥剤２２及び有機エレクトロルミネッセンス素子１６を覆う樹脂２４と、を含む。乾燥剤２２は、第２の面２０の、有機エレクトロルミネッセンス素子１６と対向する領域の外側であって領域全体を囲む部分を有する。有機エレクトロルミネッセンス素子１６は、樹脂２４を介して、乾燥剤２２から隔離されている。【選択図】図１
2010102994.tif 000002
【特許請求の範囲】
【請求項１】
間隔をあけて対向する第１及び第２の基板と、
前記第１の基板の、前記第２の基板と対向する第１の面に設けられた有機エレクトロルミネッセンス素子と、
前記第２の基板の、前記第１の基板と対向する第２の面に設けられた乾燥剤と、
前記第１及び第２の面に接着して前記乾燥剤及び前記有機エレクトロルミネッセンス素子を覆う樹脂と、
を含み、
前記乾燥剤は、前記第２の面の、前記有機エレクトロルミネッセンス素子と対向する領域の外側であって前記領域全体を囲む部分を有し、
前記有機エレクトロルミネッセンス素子は、前記樹脂を介して、前記乾燥剤から隔離されていることを特徴とする有機エレクトロルミネッセンス装置。
【請求項２】
請求項１に記載された有機エレクトロルミネッセンス装置において、
前記乾燥剤は、前記第２の面の、前記有機エレクトロルミネッセンス素子と対向する前記領域を避けて前記領域の外側のみに設けられていることを特徴とする有機エレクトロルミネッセンス装置。
【請求項３】
請求項１に記載された有機エレクトロルミネッセンス装置において、
前記乾燥剤は、前記有機エレクトロルミネッセンス素子と対向する部分であって、光透過性を有する部分を含むことを特徴とする有機エレクトロルミネッセンス装置。
【請求項４】
請求項１から３のいずれか１項に記載された有機エレクトロルミネッセンス装置において、
前記有機エレクトロルミネッセンス素子は、前記第２の基板の方向に光を放出する構造を有することを特徴とする有機エレクトロルミネッセンス装置。
【請求項５】
請求項１から３のいずれか１項に記載された有機エレクトロルミネッセンス装置において、
前記有機エレクトロルミネッセンス素子は、前記第１の基板の方向に光を放出する構造を有することを特徴とする有機エレクトロルミネッセンス装置。
【発明の詳細な説明】
【技術分野】
【０００１】
本発明は、有機エレクトロルミネッセンス装置に関する。
【背景技術】
【０００２】
有機エレクトロルミネッセンス素子は、水分による劣化を防止するため、凹部を有する封止基板によって中空構造を形成し、中空内部に乾燥剤を配置することが行われている。さらに、有機エレクトロルミネッセンス素子を樹脂で覆うことも知られている（特許文献１参照）。しかし、特許文献１の構造では、有機エレクトロルミネッセンス素子が形成される基板上に乾燥剤が設けられるので、有機エレクトロルミネッセンス素子に影響を与えないように乾燥剤を設けることが難しい。
【特許文献１】特開２００６−８００９４号公報
【発明の開示】
【発明が解決しようとする課題】
【０００３】
本発明は、有機エレクトロルミネッセンス素子に影響を与えないように、水分による劣化を防止することを目的とする。
【課題を解決するための手段】
【０００４】
（１）本発明に係る有機エレクトロルミネッセンス装置は、間隔をあけて対向する第１及び第２の基板と、前記第１の基板の、前記第２の基板と対向する第１の面に設けられた有機エレクトロルミネッセンス素子と、前記第２の基板の、前記第１の基板と対向する第２の面に設けられた乾燥剤と、前記第１及び第２の面に接着して前記乾燥剤及び前記有機エレクトロルミネッセンス素子を覆う樹脂と、を含み、前記乾燥剤は、前記第２の面の、前記有機エレクトロルミネッセンス素子と対向する領域の外側であって前記領域全体を囲む部分を有し、前記有機エレクトロルミネッセンス素子は、前記樹脂を介して、前記乾燥剤から隔離されていることを特徴とする。本発明によれば、乾燥剤と有機エレクトロルミネッセンス素子の間に樹脂が介在しているので、有機エレクトロルミネッセンス素子に影響を与えないように、水分による劣化を防止することができる。
【０００５】
（２）（１）に記載された有機エレクトロルミネッセンス装置において、前記乾燥剤は、前記第２の面の、前記有機エレクトロルミネッセンス素子と対向する前記領域を避けて前記領域の外側のみに設けられていることを特徴としてもよい。
【０００６】
（３）（１）に記載された有機エレクトロルミネッセンス装置において、前記乾燥剤は、前記有機エレクトロルミネッセンス素子と対向する部分であって、光透過性を有する部分を含むことを特徴としてもよい。
【０００７】
（４）（１）から（３）のいずれか１項に記載された有機エレクトロルミネッセンス装置において、前記有機エレクトロルミネッセンス素子は、前記第２の基板の方向に光を放出する構造を有することを特徴としてもよい。
【０００８】
（５）（１）から（３）のいずれか１項に記載された有機エレクトロルミネッセンス装置において、前記有機エレクトロルミネッセンス素子は、前記第１の基板の方向に光を放出する構造を有することを特徴としてもよい。
【発明を実施するための最良の形態】
【０００９】
以下、本発明の実施の形態について、図面を参照しながら説明する。
【００１０】
（第１の実施の形態）
図１は、本発明の第１の実施の形態に係る有機エレクトロルミネッセンス装置を説明する図である。有機エレクトロルミネッセンス装置は、間隔をあけて対向する第１及び第２の基板１０，１２を有する。第１及び第２の基板１０，１２は、ガラス基板であってもよいし、樹脂基板であってもよいが、少なくとも一方（光を通過させる側）は光透過性を有する。第１及び第２の基板１０，１２は、平坦になっていてもよいし、湾曲していてもよい。
【００１１】
第１の基板１０の、第２の基板１２と対向する第１の面１４には、有機エレクトロルミネッセンス素子１６が設けられている。有機エレクトロルミネッセンス素子１６は、図示しない、陰極及び陽極並びにこれらに挟まれた発光層を有し、発光層は電子輸送層及び正孔輸送層に挟まれていてもよい。さらに、電子輸送層と陰極の間に電子注入層を配置し、正孔輸送層と陽極の間に正孔注入層を配置してもよい。
【００１２】
なお、第１の基板１０の、第２の基板１２と対向する第１の面１４には、図示しない、ＴＦＴ（Thin Film Transistor）及び配線が形成されており、第１の基板１０をＴＦＴ基板ということができる。
【００１３】
有機エレクトロルミネッセンス素子１６は、第２の基板１２の方向に光を放出する構造を有する。図１では、有機エレクトロルミネッセンス素子１６の、陰極及び陽極（図示せず）よりも第１の基板１０に近い位置に反射鏡１８を配置してあるが、この構造に限定されるものではない。
【００１４】
第２の基板１２の、第１の基板１０と対向する第２の面２０には、乾燥剤２２が設けられている。乾燥剤２２は、第２の面２０の、有機エレクトロルミネッセンス素子１６と対向する領域の外側であってその領域全体を囲む部分を有する。乾燥剤２２は、第２の面２０の、有機エレクトロルミネッセンス素子１６と対向する領域を避けて、その領域の外側のみに設けられている。これによれば、乾燥剤２２が光の通過を妨げないので、光透過性の低い（又は無い）材料（例えばゼオライト）を使用することができる。
【００１５】
樹脂２４（例えばエポキシ樹脂）が、第１及び第２の面１４，２０に接着して、乾燥剤２２及び有機エレクトロルミネッセンス素子１６を覆っている。樹脂２４は、第１及び第２の基板１０，１２の間の間で、乾燥剤２２よりも外側の空間を完全に封止している。樹脂２４は光透過性を有する。樹脂２４は、第１及び第２の基板１０，１２の接着層であり、有機エレクトロルミネッセンス素子１６の封止層である。あるいは、樹脂２４は、第１及び第２の基板１０，１２の間に形成された空間の充填剤であるということもでき、その場合、空間を囲むために第１及び第２の基板１０，１２の間であって樹脂２４の周囲にはシール（図示せず）が設けられてもよい。有機エレクトロルミネッセンス素子１６は、樹脂２４を介して、乾燥剤２２から隔離されている。
【００１６】
本実施の形態によれば、乾燥剤２２と有機エレクトロルミネッセンス素子１６の間に樹脂２４が介在しているので、有機エレクトロルミネッセンス素子１６に影響を与えないように、水分による劣化を防止することができる。また、樹脂２４が、第１及び第２の基板１０，１２の間で連続的な層になっているので、有機エレクトロルミネッセンス装置の強度を高めることができ、このことは大型の装置に効果的である。
【００１７】
図２（Ａ）〜図２（Ｃ）は、本実施の形態に係る有機エレクトロルミネッセンス装置の製造方法を説明する図である。本実施の形態では、上述した第１の基板１０と基材２６を用意する。基材２６を切断して、複数の第２の基板１２（図１参照）が得られる。
【００１８】
図２（Ａ）に示すように、基材２６に乾燥剤２２を設ける。乾燥剤２２は、基材２６の複数の領域（光透過エリア）をそれぞれ途切れることなく囲む枠状に設ける。乾燥剤２２は、塗布、印刷、貼り付けのいずれかの方法で設けることができる。
【００１９】
図２（Ｂ）に示すように、樹脂２４を設ける。複数の樹脂２４を、乾燥剤２２によって囲まれる複数の領域をそれぞれ覆うように設ける。１つの樹脂２４は、１つの乾燥剤２２を覆うように設ける。１つの樹脂２４は、枠状の乾燥剤２２の内側では基材２６上に設ける。１つの樹脂２４は、１つの乾燥剤２２の外側（光透過エリアの外側）に至るように設ける。１つの樹脂２４は、１つの乾燥剤２２によって囲まれる領域からその乾燥剤２２の外側まで一体的に（途切れることなく）設ける。樹脂２４は、乾燥剤２２よりも厚く設ける。樹脂２４は、シート状で用意してもよく、その場合、ローラで圧着して設けてもよい。
【００２０】
図２（Ｃ）に示すように、第１の基板１０を、有機エレクトロルミネッセンス素子１６（少なくとも発光層）が乾燥剤２２の内側領域に対向するように、樹脂２４上に設け、第１の基板１０を樹脂２４に密着させる。その後、基材２６を切断して有機エレクトロルミネッセンス装置が得られる。有機エレクトロルミネッセンス装置は、表示装置としても、照明器具としても使用することができる。
【００２１】
（第２の実施の形態）
図３は、本発明の第２の実施の形態に係る有機エレクトロルミネッセンス装置を説明する図である。本実施の形態では、乾燥剤１２２は、有機エレクトロルミネッセンス素子１６（少なくとも発光層）と対向する部分であって、光透過性を有する部分を含む。乾燥剤１２２の全体が光透過性を有していてもよい。その他の構成については、第１の実施の形態で説明した内容が該当する。本実施の形態でも第１の実施の形態で説明した作用効果を達成することができる。
【００２２】
図４（Ａ）〜図４（Ｃ）は、本実施の形態に係る有機エレクトロルミネッセンス装置の製造方法を説明する図である。本実施の形態では、第１の実施の形態で説明した第１の基板１０と基材２６を用意する。
【００２３】
図４（Ａ）に示すように、基材２６に乾燥剤１２２を設ける。複数の乾燥剤１２２を、基材２６の複数の領域（光透過エリア）をそれぞれ覆うように設ける。１つの乾燥剤１２２が１つの領域（光透過エリア）全体を完全に覆う。
【００２４】
図４（Ｂ）に示すように、樹脂１２４を設ける。複数の樹脂１２４を、複数の乾燥剤１２２をそれぞれ覆うように設ける。１つの樹脂１２４は、１つの乾燥剤１２２を覆うように設ける。１つの樹脂１２４は、１つの乾燥剤１２２の外側に至るように設ける。１つの樹脂１２４は穴を有していない。
【００２５】
図４（Ｃ）に示すように、第１の基板１０を、有機エレクトロルミネッセンス素子１６（少なくとも発光層）が乾燥剤１２２に対向するように、樹脂１２４上に設け、第１の基板１０を樹脂１２４に密着させる。その後、基材２６を切断して有機エレクトロルミネッセンス装置が得られる。その他の製造方法については、第１の実施の形態で説明した内容が該当する。
【００２６】
（変形例）
図５は、第１の実施の形態に係る有機エレクトロルミネッセンス装置の変形例を示す図である。本実施の形態では、樹脂２２４が遮光性を有する（光透過性が低い又は無い）。そのため、有機エレクトロルミネッセンス素子２１６は、第１の基板１０の方向に光を放出する構造を有する。例えば、図５では、有機エレクトロルミネッセンス素子２１６の、陰極及び陽極よりも第２の基板１２に近い位置に反射鏡２１８を配置してあるが、この構造に限定されるものではない。その他の構成及び製造方法並びに作用効果は、第１の実施の形態で説明した内容が該当する。
【００２７】
図６は、第２の実施の形態に係る有機エレクトロルミネッセンス装置の変形例を示す図である。本実施の形態では、樹脂３２４が遮光性を有する（光透過性が低い又は無い）。そのため、有機エレクトロルミネッセンス素子３１６は、第１の基板１０の方向に光を放出する構造を有する。例えば、図６では、有機エレクトロルミネッセンス素子３１６の、陰極及び陽極よりも第２の基板１２に近い位置に反射鏡３１８を配置してあるが、この構造に限定されるものではない。また、乾燥剤３２２は、光透過性を有していなくてもよい。その他の構成及び製造方法並びに作用効果は、第２の実施の形態で説明した内容が該当する。
【００２８】
本発明は、上述した実施の形態に限定されるものではなく種々の変形が可能である。例えば、実施の形態で説明した構成は、実質的に同一の構成、同一の作用効果を奏する構成又は同一の目的を達成することができる構成で置き換えることができる。
【図面の簡単な説明】
【００２９】
【図１】本発明の第１の実施の形態に係る有機エレクトロルミネッセンス装置を説明する図である。
【図２】図２（Ａ）〜図２（Ｃ）は、本実施の形態に係る有機エレクトロルミネッセンス装置の製造方法を説明する図である。
【図３】本発明の第２の実施の形態に係る有機エレクトロルミネッセンス装置を説明する図である。
【図４】図４（Ａ）〜図４（Ｃ）は、本実施の形態に係る有機エレクトロルミネッセンス装置の製造方法を説明する図である。
【図５】第１の実施の形態に係る有機エレクトロルミネッセンス装置の変形例を示す図である。
【図６】第２の実施の形態に係る有機エレクトロルミネッセンス装置の変形例を示す図である。
【符号の説明】
【００３０】
１０  第１の基板、１２  第２の基板、１４  第１の面、１６  有機エレクトロルミネッセンス素子、１８  反射鏡、２０  第２の面、２２  乾燥剤、２４  樹脂、２６  基材、１２２  乾燥剤、１２４  樹脂、２１６  有機エレクトロルミネッセンス素子、２１８  反射鏡、２２４  樹脂、３１６  有機エレクトロルミネッセンス素子、３１８  反射鏡、３２２  乾燥剤、３２４  樹脂。
【図１】
2010102994.tif 000003
【図２】
2010102994.tif 000004
【図３】
2010102994.tif 000005
【図４】
2010102994.tif 000006
【図５】
2010102994.tif 000007
【図６】
2010102994.tif 000008